(57)【要約】【課題】ホタルのようなゆっくりした周期で、淡くてやわらかい感じの発光ができるＬＥＤアクセサリー提供する。【解決手段】本考案のＬＥＤアクセサリーは、所定の周期で点灯と滅灯を繰り返すＬＥＤと、ＬＥＤを覆うように設けられる蓄光パッドからなる発光部と、ＬＥＤに電力を給電するボタン電池と、ＬＥＤへの給電開始または終了を指示する操作スイッチと、衣服や持ち物に係止する留め具と、が備えられる。【選択図】図１
0003158424.tif 000002
【実用新案登録請求の範囲】
【請求項１】
所定の周期で点灯と滅灯を繰り返すＬＥＤと、
前記ＬＥＤを覆うように設けられる蓄光パッドからなる発光部と、
前記ＬＥＤに電力を給電するボタン電池と、
前記ＬＥＤへの給電開始または終了を指示する操作スイッチと、
衣服や持ち物に係止する留め具と、が備えられることを特徴とするＬＥＤアクセサリー。
【請求項２】
前記発光部の周囲にホタルの図柄がデザインされていることを特徴とする請求項１に記載のＬＥＤアクセサリー。
【考案の詳細な説明】
【技術分野】
【０００１】
本考案は、ＬＥＤアクセサリーに係り、より詳細には、ホタルのようなゆっくりした周期で、淡くてやわらかい感じの発光ができるＬＥＤアクセアサリーに関する。
【背景技術】
【０００２】
特許文献１には、発光ダイオード（ＬＥＤ）を用いた疑似ホタル装置が示されている。この擬似ホタル装置は、多数の疑似ホタル体からなり庭園などに配置される。ＬＥＤは、疑似ホタル体の腹部に設けられ、リード線で給電発光制御装置と結ばれる。ＬＥＤはゆっくりと点灯と消灯を繰り返すように制御される。
【０００３】
ところで、このような大規模な装置ではなく、バッジ型でホタルのように発光できるＬＥＤアクセサリーが望まれる。一般に、子供がランドセルなどに付けるＬＥＤ交通安全具は、ＬＥＤの点滅が早く視認性は良いもののチカチカしてホタルの発光とは異なっている。例えば、ゲンジホタルの発光周期は２秒もしくは４秒とされる。しかしながら、交通安全具のＬＥＤの点滅を特許文献１のようにゆっくりと点滅させても、点滅の周期が長くなっただけで、ホタルのような風情は得られない。
【先行技術文献】
【特許文献】
【０００４】
【特許文献１】登録実用新案第３１２３３５７号公報
【考案の概要】
【考案が解決しようとする課題】
【０００５】
本考案の目的は、ホタルのようなゆっくりした周期で、淡くてやわらかい感じの発光ができるＬＥＤアクセサリー提供することにある。
【課題を解決するための手段】
【０００６】
本考案によるＬＥＤアクセサリーには、所定の周期で点灯と滅灯を繰り返すＬＥＤと、前記ＬＥＤを覆うように設けられる蓄光パッドからなる発光部と、前記ＬＥＤに電力を給電するボタン電池と、前記ＬＥＤへの給電開始または終了を指示する操作スイッチと、衣服や持ち物に係止する留め具と、が備えられる。
【０００７】
前記発光部の周囲にホタルの図柄がデザインされていることを特徴とする。
【考案の効果】
【０００８】
本考案によるＬＥＤアクセサリーによれば、ＬＥＤの正面を覆う蓄光パッドを設けたので、ＬＥＤを点灯させると光は蓄光パッドを介して外に出るので、直接のＬＥＤ光に比べて光を淡くてやわらかい感じにできる。また、蓄光パッドの残光で長く光る。さらに、蓄光パッドは、昼の間に紫外線などを吸収して発光するので、夜間ＬＥＤにボタン電池から電力が給電されなくても、発光を続けることができる。
【０００９】
発光部の周囲にホタルの図柄をデザインしたので、ＬＥＤの点滅と蓄光パッドから出る淡い光と相俟って、ホタルの光をイメージすることができる。
【図面の簡単な説明】
【００１０】
【図１】本考案によるＬＥＤアクセサリーの斜視図である。
【図２】図１の背面方向から見た斜視図である。
【図３】図２に示すボタン電池ケースの断面図である。
【図４】図１のＬＥＤアクセサリーの各種デザインの例である。
【図５】図４のＬＥＤアクセサリーにキーホルダーを付けた場合を示す。
【図６】図４の発光部とＬＥＤの点灯と滅灯の関係を示すグラフである。
【考案を実施するための形態】
【００１１】
以下、図面を参照して、本発明によるＬＥＤアクセサリーを説明する。
【実施例】
【００１２】
図１は、本考案によるＬＥＤアクセサリーの斜視図である。ＬＥＤアクセサリー１００は、円形のバッジ型で表面にはホタルの図柄１１がデザインされている。ホタルの図柄１１の腹の部分には、発光部１が設けられる。発光部１には、引出し円の中に示すように、蓄光パッド２が設けられる。蓄光パッド２は、内部の基板に搭載のＬＥＤ３の上部を覆うように設けられる。蓄光パッド２は、希土類元素を含む酸化アルミニウムの粉末を溶かした樹脂に混ぜて固めたものである。半透明で色は黄緑のものを使用した。蓄光パッド２は、紫外線などの光のエネルギーを吸収し発光することができる。しかも、長時間光を放出する特性を有する。図１では、発光部１は３箇所にあって、操作スイッチをオンするとＬＥＤが所定の周期で、かつ順番に点灯しては消灯される。
【００１３】
図２は、図１のＬＥＤアクセサリー１００を背面から見た斜視図である。背面には、衣服や持ち物に係止する留め具であるクリップ４および安全ピン５を設けている。いずれか一方のみ取り付けるものとしてもよい。ボタン電池ケース８には、ベースに螺合する蓋８ａがあり、ボタン電池が収納される。選択スイッチ６は、点滅の周期を２秒あるいは４秒に切り換えるスイッチである。オプションで設けられる。選択スイッチ６がない場合は、点滅の周期は所定の値となる。
【００１４】
図３は、図２に示すボタン電池ケース８の断面図である。図３（Ａ）は、蓋８ａを矢印のように回して開いた場合である。この場合、ボタン電池７は、ゴムリング９で底部の電極から離されるので、端子ｔ１、ｔ２には電圧が生じない。図３（Ｂ）は、蓋８ａを矢印のように回して閉めた場合である。この場合、ボタン電池７は、押されて底部の電極に接触するので、端子ｔ１、ｔ２に電圧が生じる。端子ｔ１、ｔ２の先にＬＥＤ３とその制御回路が接続される。このように蓋８ａの開閉で、ＬＥＤ３の点滅の開始と終了を指示する構成とした。すなわちＬＥＤ３を作動させるかどうかの操作スイッチの機能を蓋８ａに持たせたものである。蓋とは兼用せず、操作スイッチを専用のスイッチで構成してもよい。
【００１５】
図４は、ＬＥＤアクセサリー１００の各種デザインの例である。図４（Ａ）〜（Ｄ）はホタルの図柄１１をデザインしたものである。図４に示すように、外形はホタルの図柄の形状に合わせ、発光部１は１個とした。背面には図２と同様にクリップ４と安全ピン５、ボタン電池ケース８などが設けられる。
【００１６】
図５は、ＬＥＤアクセサリー１００にキーホルダーを付けた場合を示す。留め具としてキーホルダー１０を使用した。キーホルダー１０はカバンなどに係止しやすい。留め具にストラップ（帯）を使用してもよい。
【００１７】
図６は、図４の発光部１とＬＥＤ３の点灯と滅灯の関係を示すグラフである。ＬＥＤ３が点灯している時間は下側の短い矢印で示される。ＬＥＤ３が点灯すると発光部１の明るさは大きくなる。ＬＥＤ３の点灯の周期は符号ｃ１で示され、例えば４秒とすることができる。ＬＥＤ３が滅灯している時間は長い矢印で示される。滅灯の周期は符号ｃ２で示されｃ１と同じ時間である。ｃ１（またはｃ２）はＬＥＤ３の点滅の周期でもある。発光部１はＬＥＤ３を滅灯しても残光がある。そのため、発光部１の明るさは次第に小さくなる。しかし、それまでに吸収したエネルギーがあるので、明るさはゼロにはならず、ぼんやりと発光して見える。
【産業上の利用可能性】
【００１８】
本考案は、ホタルのように点滅できるＬＥＤアクセサリーとして好適である。
【符号の説明】
【００１９】
１    発光部
２    蓄光パッド
３    ＬＥＤ
４    クリップ（留め具）
５    安全ピン（留め具）
６    選択スイッチ
７    ボタン電池
８    ボタン電池ケース
８ａ    蓋（操作スイッチ）
９    ゴムリング
１０    キーホルダー（留め具）
１１    ホタルの図柄
１００    ＬＥＤアクセサリー
【図１】
0003158424.tif 000003
【図２】
0003158424.tif 000004
【図３】
0003158424.tif 000005
【図４】
0003158424.tif 000006
【図５】
0003158424.tif 000007
【図６】
0003158424.tif 000008